(57)【要約】【課題】輝度均一度を向上させることができる面光源装置及びこれを有する液晶表示装置を提供する。【解決手段】平板形状の第１基板と、前記第１基板と離隔して多数の放電空間を形成する多数の放電空間部、及び隣接する前記放電空間部間に形成され前記第１基板と接する多数の空間分割部を有し、外郭と隣接した一つ以上の前記放電空間部は長手方向の両端部に前記第１基板方向に陥没する陥没部を有する第２基板と、前記第２基板の外面の両端部に形成され、前記放電空間部の両端部の陥没部と形状が重なるように前記放電空間部の長手方向と直角な方向に形成される第１外部電極とを有する。【選択図】図１
2006004924.tif 000002
【特許請求の範囲】
【請求項１】
平板形状の第１基板と、
前記第１基板と離隔して多数の放電空間を形成する多数の放電空間部、及び隣接する前記放電空間部間に形成され前記第１基板と接する多数の空間分割部を有し、外郭と隣接した一つ以上の前記放電空間部は長手方向の両端部に前記第１基板方向に陥没する陥没部を有する第２基板と、
前記第２基板の外面の両端部に形成され、前記放電空間部の両端部の陥没部と形状が重なるように前記放電空間部の長手方向と直角な方向に形成される第１外部電極とを有することを特徴とする面光源装置。
【請求項２】
前記陥没部は、前記放電空間部の幅と比較して小さい幅を有することを特徴とする請求項１記載の面光源装置。
【請求項３】
前記陥没部は、一側外郭と隣接した３個以下の前記放電空間部、及び他側外郭と隣接した３個以下の前記放電空間部に形成されることを特徴とする請求項１記載の面光源装置。
【請求項４】
前記陥没部は、外郭に近くなるほど陥没深さが増加することを特徴とする請求項３記載の面光源装置。
【請求項５】
前記陥没部は、外郭と最も隣接した両最端部に位置する前記放電空間部にのみ形成されることを特徴とする請求項１記載の面光源装置。
【請求項６】
前記第１外部電極は、長手方向に沿って同じ電極幅を有することを特徴とする請求項１記載の面光源装置。
【請求項７】
前記各々の空間分割部は、互いに隣接した前記放電空間を連結するための、空間分割部の一部が前記第１基板と離隔し通路空間形状をなした一つ以上の連結通路を更に有することを特徴とする請求項１記載の面光源装置。
【請求項８】
前記第１外部電極に対応して前記第１基板の外面に形成される第２外部電極を更に有することを特徴とする請求項１記載の面光源装置。
【請求項９】
前記第１基板の内面に形成され前記放電空間から発生した光を反射させる反射層と、
前記第１基板の内面及び前記第２基板の内面に形成され可視光を発生させる蛍光層とをさらに有することを特徴とする請求項１記載の面光源装置。
【請求項１０】
平板形状の第１基板と、
前記第１基板と離隔して多数の放電空間を形成する多数の放電空間部、及び隣接する前記放電空間部間に形成され前記第１基板と接する多数の空間分割部を有し、外郭と隣接した一つ以上の前記放電空間部は長手方向の両端部に前記第１基板方向とは反対方向に突出する突出部を有する第２基板と、
前記第２基板の外面の両端部に形成され、前記放電空間部の両端部の突出部と形状が重なるように前記放電空間部の長手方向と直角な方向に形成される第１外部電極とを有することを特徴とする面光源装置。
【請求項１１】
前記突出部は、一側外郭と隣接した３個以下の前記放電空間部、及び他側外郭と隣接した３個以下の前記放電空間部に形成されることを特徴とする請求項１０記載の面光源装置。
【請求項１２】
前記突出部は、外郭に近くなるほど突出高さが増加することを特徴とする請求項１１記載の面光源装置。
【請求項１３】
前記各々の空間分割部は、互いに隣接した前記放電空間を連結するための、空間分割部の一部が前記第１基板と離隔し通路空間形状をなした一つ以上の連結通路を更に有することを特徴とする請求項１０記載の面光源装置。
【請求項１４】
前記第１外部電極に対応して前記第１基板の外面に形成される第２外部電極を更に有することを特徴とする請求項１０記載の面光源装置。
【請求項１５】
平板形状の第１基板と、前記第１基板と離隔して多数の放電空間を形成する多数の放電空間部と隣接する前記放電空間部間に形成され前記第１基板と接する多数の空間分割部とで構成され、外郭と隣接した一つ以上の前記放電空間部は長手方向の両端部に形成される輝度補償部を有する第２基板と、前記第２基板の外面のうち、前記放電空間部の両端部に前記輝度補償部と重なるように前記放電空間部の長手方向と直角な方向に形成される第１外部電極とを有する面光源装置と、
前記面光源装置から出射される光を用いて画像を表示する液晶表示パネルと、
前記面光源装置を駆動するための放電電圧を前記第１外部電極に印加するインバータとを有することを特徴とする液晶表示装置。
【請求項１６】
前記輝度補償部は、前記第２基板の放電空間部の第１基板方向に陥没する陥没部であることを特徴とする請求項１５記載の液晶表示装置。
【請求項１７】
前記輝度補償部は、前記第２基板の放電空間部の第１基板方向とは反対方向に突出する突出部であることを特徴とする請求項１５記載の液晶表示装置。
【請求項１８】
前記輝度補償部は、一側外郭と隣接した３個以下の前記放電空間部、及び他側外郭と隣接した３個以下の前記放電空間部に形成されることを特徴とする請求項１５記載の液晶表示装置。
【請求項１９】
前記輝度補償部は、外郭に近くなるほどその面積が増加することを特徴とする請求項１８記載の液晶表示装置。
【請求項２０】
前記各々の空間分割部は、互いに隣接した前記放電空間を連結するための、空間分割部の一部が前記第１基板と離隔し通路空間形状をなした一つ以上の連結通路を更に有することを特徴とする請求項１５記載の液晶表示装置。
【請求項２１】
前記面光源装置は、前記第１外部電極に対応して前記第１基板の外面に形成される第２外部電極を更に有することを特徴とする請求項１５記載の液晶表示装置。
【請求項２２】
前記面光源装置を収納するための収納容器と、
前記面光源装置と前記液晶表示パネルとの間に配置される光学部材と、
前記液晶表示パネルを前記収納容器に固定するための固定部材とを更に有することを特徴とする請求項１５記載の液晶表示装置。
【請求項２３】
前記光学部材は、前記面光源装置と所定間隔に離隔して配置され、前記面光源装置から出射される光を拡散させる拡散板と、
前記拡散板から出射される光を前記液晶表示パネル方向に集光するための一つ以上の集光シートとを有することを特徴とする請求項２２記載の液晶表示装置。
【発明の詳細な説明】
【技術分野】
【０００１】
本発明は、面光源装置及びこれを有する液晶表示装置に関し、より詳細には液晶表示パネルに面形態で光を供給する面光源装置、及びこれを有する液晶表示装置に関する。
【背景技術】
【０００２】
一般に、液晶表示装置は液晶を用いて画像を表示する平板表示装置の一つであって、他のディスプレイ装置と比較し、薄くて軽く、低い駆動電圧及び低い消費電力を有する長所があることから、産業全般にかけて広範囲に用いられている。
【０００３】
このような液晶表示装置は、画像を表示するための液晶表示パネル自体が発光しない非発光性素子なので、別の光源を提供するバックライトアセンブリを必要とする。
【０００４】
バックライトアセンブリは、光源として細管形状を有する冷陰極蛍光ランプ（ＣＣＦＬ）が主に用いられている。冷陰極蛍光ランプを光源として用いるバックライトアセンブリは、光源の位置によって、エッジ型と直下型とに分類される。エッジ型は、透明導光板の側面に一つ又は二つの光源を位置させ、導光板の一面を用いて光を多重反射させることにより得られた光を液晶表示パネルに出射する方式であり、直下型は、多数の光源を液晶表示パネルの直下部に位置させて光源の前面には拡散板を配置し、光源の背面には反射板を配置して、光源から発散された光を反射、拡散させる方式である。
【０００５】
このような従来のバックライトアセンブリは、導光板又は拡散板等の光学部材による光損失が発生するので光利用効率が低く、全体構造が複雑で生産費が高いのみならず、輝度の均一性が劣化するという問題点がある。
【０００６】
このような問題点を解消するために、最近では面形態で光を直接出射する面光源装置に関する開発が進行している。面光源装置は、上部基板と下部基板との間に形成された内部空間が多数の放電空間に分割され、放電空間に放電電圧を印加するための電極を含む。この際、それぞれの放電空間は放電ガスの均一な分布のために、隣接した放電空間と一部が連通するように形成される。このような面光源装置は、外部から電極に印加される放電電圧によってそれぞれの放電空間でプラズマ放電を発生させ、これを用いて光を出射する（例えば、特許文献１参照）。
【０００７】
しかし、このような面光源装置の駆動時、放電空間のうち、放電空間列の両端部に位置する放電空間、即ち、外郭と隣接した放電空間の輝度が他の放電空間の輝度と比較して劣化するという問題点があった。特に、面光源装置を収納容器及びその他の部品と結合させてバックライトアセンブリを製作する場合、このような輝度低下問題はさらに現れ、これによって輝度均一度及び表示品質を劣化させるという問題点があった。
【０００８】
【特許文献１】特開２００５−０３２７２２号公報
【発明の開示】
【発明が解決しようとする課題】
【０００９】
そこで、本発明は上記従来の面光源装置及びこれを有する液晶表示装置における問題点に鑑みてなされたものであって、本発明の目的は、両端部に位置する放電空間の輝度低下を防止して、出射される光の輝度均一度及び表示品質を向上させることができる面光源装置を提供することにある。
本発明の他の目的は、上記のような面光源装置を光源として有する液晶表示装置を提供することにある。
【課題を解決するための手段】
【００１０】
上記目的を達成するためになされた本発明による面光源装置は、平板形状の第１基板と、前記第１基板と離隔して多数の放電空間を形成する多数の放電空間部、及び隣接する前記放電空間部間に形成され前記第１基板と接する多数の空間分割部を有し、外郭と隣接した一つ以上の前記放電空間部は長手方向の両端部に前記第１基板方向に陥没する陥没部を有する第２基板と、前記第２基板の外面の両端部に形成され、前記放電空間部の両端部の陥没部と形状が重なるように前記放電空間部の長手方向と直角な方向に形成される第１外部電極とを有することを特徴とする。
【００１１】
前記陥没部は、前記放電空間部の幅と比較して小さい幅を有することを特徴とする。
前記陥没部は、一側外郭と隣接した３個以下の前記放電空間部、及び他側外郭と隣接した３個以下の前記放電空間部に形成されることを特徴とする。
前記陥没部は、外郭に近くなるほど陥没深さが増加することを特徴とする。
前記陥没部は、外郭と最も隣接した両最端部に位置する前記放電空間部にのみ形成されることを特徴とする。
前記第１外部電極は、長手方向に沿って同じ電極幅を有することを特徴とする。
前記各々の空間分割部は、互いに隣接した前記放電空間を連結するための、空間分割部の一部が前記第１基板と離隔し通路空間形状をなした一つ以上の連結通路を更に有することを特徴とする。
前記第１外部電極に対応して前記第１基板の外面に形成される第２外部電極を更に有することを特徴とする。
前記第１基板の内面に形成され前記放電空間から発生した光を反射させる反射層と、前記第１基板の内面及び前記第２基板の内面に形成され可視光を発生させる蛍光層とをさらに有することを特徴とする。
【００１２】
また、上記目的を達成するためになされた本発明による面光源装置は、平板形状の第１基板と、前記第１基板と離隔して多数の放電空間を形成する多数の放電空間部、及び隣接する前記放電空間部間に形成され前記第１基板と接する多数の空間分割部を有し、外郭と隣接した一つ以上の前記放電空間部は長手方向の両端部に前記第１基板方向とは反対方向に突出する突出部を有する第２基板と、前記第２基板の外面の両端部に形成され、前記放電空間部の両端部の突出部と形状が重なるように前記放電空間部の長手方向と直角な方向に形成される第１外部電極とを有することを特徴とする。
【００１３】
前記突出部は、一側外郭と隣接した３個以下の前記放電空間部、及び他側外郭と隣接した３個以下の前記放電空間部に形成されることを特徴とする。
前記突出部は、外郭に近くなるほど突出高さが増加することを特徴とする。
前記各々の空間分割部は、互いに隣接した前記放電空間を連結するための、空間分割部の一部が前記第１基板と離隔し通路空間形状をなした一つ以上の連結通路を更に有することを特徴とする。
前記第１外部電極に対応して前記第１基板の外面に形成される第２外部電極を更に有することを特徴とする。
【００１４】
上記目的を達成するためになされた本発明による液晶表示装置は、平板形状の第１基板と、前記第１基板と離隔して多数の放電空間を形成する多数の放電空間部と隣接する前記放電空間部間に形成され前記第１基板と接する多数の空間分割部とで構成され、外郭と隣接した一つ以上の前記放電空間部は長手方向の両端部に形成される輝度補償部を有する第２基板と、前記第２基板の外面のうち、前記放電空間部の両端部に前記輝度補償部と重なるように前記放電空間部の長手方向と直角な方向に形成される第１外部電極とを有する面光源装置と、前記面光源装置から出射される光を用いて画像を表示する液晶表示パネルと、前記面光源装置を駆動するための放電電圧を前記第１外部電極に印加するインバータとを有することを特徴とする。
【００１５】
前記輝度補償部は、前記第２基板の放電空間部の第１基板方向に陥没する陥没部であることを特徴とする。
前記輝度補償部は、前記第２基板の放電空間部の第１基板方向とは反対方向に突出する突出部であることを特徴とする。
前記輝度補償部は、一側外郭と隣接した３個以下の前記放電空間部、及び他側外郭と隣接した３個以下の前記放電空間部に形成されることを特徴とする。
前記輝度補償部は、外郭に近くなるほどその面積が増加することを特徴とする。
前記各々の空間分割部は、互いに隣接した前記放電空間を連結するための、空間分割部の一部が前記第１基板と離隔し通路空間形状をなした一つ以上の連結通路を更に有することを特徴とする。
前記面光源装置は、前記第１外部電極に対応して前記第１基板の外面に形成される第２外部電極を更に有することを特徴とする。
前記面光源装置を収納するための収納容器と、前記面光源装置と前記液晶表示パネルとの間に配置される光学部材と、前記液晶表示パネルを前記収納容器に固定するための固定部材とを更に有することを特徴とする。
前記光学部材は、前記面光源装置と所定間隔に離隔して配置され、前記面光源装置から出射される光を拡散させる拡散板と、前記拡散板から出射される光を前記液晶表示パネル方向に集光するための一つ以上の集光シートとを有することを特徴とする。
【発明の効果】
【００１６】
本発明による面光源装置及びこれを有する液晶表示装置によれば、面光源装置の外郭と隣接するように位置する放電空間部は、第１外部電極と重なる領域に形成される陥没部又は突出部等の輝度補償部を有する。輝度補償部は、第１外部電極と接する面積を増加させ、第１外部電極と対向する厚さを減少させて、外郭に隣接するように位置する放電空間から発生される光の輝度を増加させる。従って、面光源装置から出射される光の輝度均一度及び表示品質を向上させることができるという効果がある。
【発明を実施するための最良の形態】
【００１７】
次に、本発明に係る面光源装置及びこれを有する液晶表示装置を実施するための最良の形態の具体例を図面を参照しながら説明する。
【実施例１】
【００１８】
図１は、本発明の第１の実施例による面光源装置を示す斜視図であり、図２は、図１のＡ−Ａ’線に沿って切断した断面図であり、図３は、図１に図示した面光源装置の背面を示す背面斜視図である。
【００１９】
図１、図２、及び図３を参照すると、本発明の第１の実施例による面光源装置１０００は、第１基板１００、第２基板２００、及び第１外部電極３００を含む。
第１基板１００は四角形の平板形状を有し、一例として、可視光線は透過させ紫外線は遮断する透明なガラス基板で構成される。
【００２０】
第２基板２００は、第１基板１００と結合され多数の放電空間１１０を形成し、一例として、第１基板１００と同じ透明なガラス基板で構成される。第２基板２００は、第１基板１００と離隔して多数の放電空間１１０を形成する多数の放電空間部２１０と、放電空間部２１０の間に形成され第１基板１００と接する多数の空間分割部２２０で構成される。即ち、空間分割部２２０は放電空間部２１０間に形成され放電空間１１０を分割する。
【００２１】
本発明において、外郭と隣接した一つ以上の放電空間部２１０、即ち、面光源装置１０００の放電空間部２１０列の両端部に位置する一つ以上の放電空間部２１０は、長手方向の両端部に形成される輝度補償部２３０を有する。輝度補償部２３０は第１基板１００方向に陥没されるか、又は、第１基板１００方向とは反対方向に突出するように形成され、第１外部電極３００と接する面積を増加させる。このような輝度補償部２３０は、それぞれの放電空間１１０に流れる電流量を増加させて、それぞれの放電空間１１０から出射される光の輝度を増加させる。
【００２２】
このような形状の第２基板２００は、一例として、成型加工（ｆｏｒｍｉｎｇ）によって形成される。即ち、第１基板１００のようなプレート形状のベース基板を一定温度で加熱した後、所望する形状の金型を通じてベース基板を成型することにより、放電空間部２１０、空間分割部２２０、及び輝度補償部２３０を含む第２基板２００を得ることができる。この以外にも、第２基板２００はベース基板を加熱した後、空気の吸入を通じて形状を加工する等の多様な方法によっても形成することが可能である。
【００２３】
本発明において、第２基板２００の縦断面は、図２に示すように、梯形と類似な多数の半楕円が連続的に連結される形態を有する。しかし、これと異なり、第２基板２００は縦断面が半円、四角形等の多様な形態を有するように形成することもできる。
【００２４】
第２基板２００は、一例として、ガラスより低い融点を有するガラスと金属との混合物であるフリット等の接着部材１２０を通じて第１基板１００と結合される。即ち、第１基板１００と第２基板２００との間で外周エッジ部を取り囲むように接着部材１２０を介在させた後に焼成することにより、第１基板１００と第２基板２００は互いに結合される。この際、接着部材１２０は、第１基板１００と第２基板２００との間の外周エッジ部にのみ形成され、第１基板１００と接する空間分割部２２０には形成されない。空間分割部２２０は、内部と外部との間の圧力差によって第１基板１００に密着する。具体的に、第１基板１００と第２基板２００の結合後、放電空間１１０に存在する空気を排気して真空状態を作り、以後、放電空間１１０にはプラズマ放電のための多様な種類の放電ガスが注入される。放電ガスのガス圧は約５０Ｔｏｒｒ程度であって、外部大気圧である約７６０Ｔｏｒｒと比較して圧力差が発生する。このような圧力差によって空間分割部２２０は第１基板１００と密着する。
【００２５】
第１外部電極３００は、第２基板２００の外面に形成される。第１外部電極３００は、第２基板２００の両端部に放電空間部２１０の長手方向と直角な方向にそれぞれ形成され、輝度補償部２３０と重なる。一方、面光源装置１０００は、第１外部電極３００に対応して、第１基板１００の外面に形成される第２外部電極３１０を更に含むことができる。第１及び第２外部電極３００、３１０は、長手方向に沿って同じ電極幅ＥＷを有する帯形状に形成される。
【００２６】
本発明において、第１及び第２外部電極３００、３１０は導電性に優れた材質、例えば、銅（Ｃｕ）、ニッケル（Ｎｉ）、銀（Ａｇ）、金（Ａｕ）、アルミニウム（Ａｌ）、クロム（Ｃｒ）等で構成された金属パウダーをスプレーコーティングする方法によって形成する。即ち、第１及び第２基板１００、２００の外面のうち、第１及び第２外部電極３００、３１０の形成位置のみを除いた領域にマスクを配置した後、第１及び第２外部電極３００、３１０の形成位置に金属パウダーをスプレー方法でコーティングした後、マスクを除去することにより、第１及び第２外部電極３００、３１０が形成される。これとは異なり、第１及び第２外部電極３００、３１０は、アルミニウムテープを付けるか、銀ペーストのコーティングによって形成することもできる。又、第１及び第２外部電極３００、３１０は透明な導電性物質、例えば、インジウムティンオキサイド（ＩＴＯ）又はインジウムジンクオキサイド（ＩＺＯ）で形成することもできる。このように、第１及び第２外部電極３００、３１０が透明な物質で形成される場合、実際に画像の表示に影響を及ぼす有効発光領域まで第１及び第２外部電極３００、３１０を形成することができるので、第１及び第２外部電極３００、３１０の面積を増加させることができる。
【００２７】
このような第１及び第２外部電極３００、３１０は、外部から印加される放電電圧を第１及び第２基板１００、２００に印加して、多数の放電空間１３０にプラズマを発生させる。
【００２８】
一方、面光源装置１０００は、第１基板１００の内面に形成される第１蛍光層１３０、反射層１５０、及び第２基板２００の内面に形成される第２蛍光層１４０を更に含む。第１及び第２蛍光層１３０、１４０は、放電空間１１０でプラズマ放電を通じて発生した紫外線によって励起され可視光線を放出する。反射層１５０は、第１基板１００と第１蛍光層１３０との間に形成される。反射層１５０は、第１及び第２蛍光層１３０、１４０によって発生した可視光線を第２基板２００側に反射させて、第１基板１００に光が漏洩することを防止する。
【００２９】
又、面光源装置１０００は、第２基板２００と第２蛍光層１４０との間、及び／又は第１基板１００と反射層１５０との間に形成される保護層（図示せず）を更に含むことができる。保護層は、第１又は第２基板１００、２００と放電ガスの主成分である水銀との化学的な反応を防止して、水銀の損失及び黒化現象を防止する。
【００３０】
又、面光源装置１０００は、互いに隣接した放電空間１１０を連結するための連結通路２４０を有する。連結通路２４０は、それぞれの空間分割部２２０に少なくとも一つ以上が形成される。それぞれの連結通路２４０は、互いに隣接した放電空間１１０を連結するために、第１基板１００と結合時、第２基板２００の一部が第１基板１００と所定距離に離隔するように形成される。このような連結通路２４０は、第２基板２００の成型加工時、空間分割部２２０と比較して少し陥没させることにより得ることができる。従って、いずれか一つ以上の放電空間１１０に注入される放電ガスは、連結通路２４０を通じて他の放電空間１１０に移動し、結局、全ての放電空間１１０には均一なガス圧で放電ガスが分布される。
【００３１】
図４は、図１に図示した面光源装置の平面図である。
図４を参照すると、本発明の第１の実施例による面光源装置１０００は、外郭と隣接した放電空間部２１０に形成される輝度補償部２３０を有する。輝度補償部２３０は、外郭と隣接した放電空間１１０の輝度を補償するために、外郭と隣接した放電空間部２１０の両端部にそれぞれ形成される。
【００３２】
各放電空間１１０から発生する光の輝度は、各放電空間１１０に流れる電流量と比例し、電流量は第１及び第２外部電極３００、３１０とのキャパシタンスによって決定される。又、各放電空間１１０のキャパシタンスは、第１及び第２外部電極３００、３１０との対向面積及び対向距離によって決定される。
【００３３】
本実施例において、輝度補償部２３０は、第１基板１００方向に陥没する陥没部２３０で構成される。陥没部２３０は、均一な厚さを有する第２基板２００の成型によって形成されるので、他の放電空間部２１０と比較して、特定領域の厚さが薄くなる。従って、外郭と隣接した放電空間１１０は陥没部２３０の形成によって、第１外部電極３００と接する面積が増加され、第１外部電極３００と対向する距離が減少する。これによって、陥没部２３０が形成された放電空間１１０のキャパシタンスは増加し、キャパシタンスに反比例してインピーダンスは減少する。このようなキャパシタンスの増加及びインピーダンスの減少によって放電空間１１０に流れる電流量は増加することになる。
【００３４】
本実施例において、放電空間１１０の個数と陥没部２３０の個数は、面光源装置１０００の全体的なサイズ及び要求される放電特性等によって多様に変化させることができる。
例えば、図４に示すように、面光源装置１０００は、８個の放電空間部２１０を有し、外郭と隣接した放電空間部２１０、即ち、一側外郭と隣接した３個以下の放電空間部２１０と他側外郭と隣接した３個以下の放電空間部２１０には陥没部２３０が形成される。この際、外郭と隣接した放電空間部２１０に形成される陥没部２３０であるほど、陥没深さを増加させることが好ましい。
【００３５】
一方、面光源装置１０００の大きさの増加によって、放電空間１１０の個数は数十個までも増加させることができる。このように、放電空間１１０の個数が増加しても、中央部に位置する放電空間１１０の輝度は殆ど均一に発生され、外郭と隣接した３個以下の放電空間１１０でのみ輝度低下問題が発生される。従って、放電空間１１０の個数の増加とは関係なく、一側及び他側外郭のそれぞれに隣接した３個以下程度の放電空間部２１０にのみ陥没部２３０を形成しても、輝度均一度を向上させることができる。
【００３６】
しかし、図示していないが、陥没部２３０は外郭と最も隣接した両最端部に位置する放電空間部２１０にのみ形成することもでき、これとは異なり、全ての放電空間部２１０に形成することもできる。全ての放電空間部２１０に形成する場合、陥没部２３０のサイズは、中央部から外郭に行くほど増加させることが好ましい。
【００３７】
図５は、図４に図示したＢ−Ｂ’線に沿って切断した断面図である。
図５を参照すると、一側外郭に隣接した３個の放電空間部２１０には陥没部２３０が形成される。ここで、陥没部２３０のサイズは、外郭に近くなるほど増加される。具体的に、外郭に最も隣接した放電空間部２１０に形成される第１陥没部２３０ａは第１陥没深さＤＥ１を有し、その次に隣接する放電空間部２１０に形成される第２陥没部２３０ｂは、第１陥没深さＤＥ１より小さい第２陥没深さＤＥ２を有し、その次に隣接する放電空間部２１０に形成される第３陥没部２３０ｃは、第２陥没深さＤＥ２より小さい第３陥没深さＤＥ３を有する。このように、外郭に隣接するほど、陥没部２３０の陥没深さＤＥを増加させると、第１外部電極３００と接する面積が増加し、外郭に行くほど劣化する輝度低下を補償して、輝度均一度を向上させる。
【００３８】
図６は、図４に図示した陥没部を具体的に示す図であり、図７は、図６に図示したＣ−Ｃ’線に沿って切断した断面図である。
図６及び図７を参照すると、陥没部２３０は放電空間部２１０の幅Ｗ２より小さい陥没幅Ｗ１を有し、第１外部電極３００の電極幅ＥＷより小さい陥没長さＬ１を有する。
【００３９】
陥没部２３０の陥没幅Ｗ１が放電空間部２１０の幅Ｗ２と同じ場合、第１外部電極３００と接する面積が減少するので、陥没部２３０の陥没幅Ｗ１は放電空間部２１０の幅Ｗ２より小さく形成されなければならない。互いに異なる放電空間部２１０に形成される互いに異なる陥没部２３０は同じ陥没幅Ｗ１を有することもでき、これと異なり、互いに異なる陥没幅Ｗ１を有することもできる。好ましくは、外郭に隣接する放電空間部２１０に行くほど、陥没部２３０の陥没幅Ｗ１が増加するようにする。
【００４０】
又、陥没部２３０の陥没長さＬ１は、互いに異なる放電空間部２３０に形成される陥没部２３０間に互いに同じ陥没長さＬ１を有するが、これと異なり、互いに異なる陥没長さＬ１を有することもできる。好ましくは、外郭に隣接する放電空間部２１０に行くほど、陥没部２３０の陥没長さＬ１が増加するようにする。
【実施例２】
【００４１】
図８は、本発明の第２の実施例による面光源装置を示す断面図である。本実施例において、輝度補償部を除いた残り構成は、図５に図示したものと同じなので、同じ構成には同じ名称及び同じ図面符号を付与し、その他重複する説明は省略する。
【００４２】
図８を参照すると、本発明の第２の実施例による面光源装置２０００は、外郭と隣接した放電空間部２１０に形成される輝度補償部２５０を有する。本実施例において、輝度補償部２５０は第１基板１００方向とは反対方向に突出される突出部２５０で構成される。
【００４３】
突出部２５０は、外郭と隣接した放電空間１１０の輝度を補償するために、外郭と隣接した放電空間部２１０の両端部にそれぞれ形成される。突出部２５０は外郭と隣接した放電空間部２１０、即ち、一側外郭と隣接する３個以下の放電空間部２１０と、他側外郭と隣接する３個以下の放電空間部２１０とで形成される。この際、外郭と近い放電空間部２１０に形成される突出部２５０であるほど、突出高さＨＥを増加させることが好ましい。
【００４４】
例えば、外郭に最も隣接した放電空間部２１０に形成される第１突出部２３０ａは第１突出高さＨＥ１を有し、その次に隣接する放電空間部２１０に形成される第２突出部２５０ｂは第１突出高さＨＥ１より小さい第２突出高さＨＥ２を有し、その次に隣接する放電空間部２１０に形成される第３突出部２５０ｃは第２突出高さＨＥ２より小さい第３突出高さＨＥ３を有する。このように、外郭に隣接するほど、突出部２３０の突出高さＨＥ１が増加すると、第１外部電極３００と接する面積が増加し、外郭に行くほど劣化する輝度低下を補償して、輝度均一度を向上させることができる。
【００４５】
図９は、図１に図示したＤ部分を拡大した部分拡大図であり、図１０は、図９のＥ−Ｅ’線に沿って切断した断面図である。
図９及び図１０を参照すると、連結通路２４０はそれぞれの空間分割部２２０に少なくとも一つ以上が形成される。それぞれの連結通路２４０は、互いに隣接する放電空間１１０を連結するために、第１基板１００と結合時、第１基板１００と所定距離に離隔するように形成される。
【００４６】
連結通路２４０は、一例として、空間分割部２２０の長手方向に対して、対角線方向に曲線を描きながら形成される。特に、連結通路２４０は、空間分割部２２０の長手方向に対して、対角線方向に「Ｓ」字形状を有するように形成することが好ましい。連結通路２４０の形状を「Ｓ」字形状に形成することにより、連結通路２４０の長さは放電空間１１０間の離隔距離、即ち、空間分割部２２０の幅Ｗ３より大きくなる。このように、連結通路２４０の長さを増加させるにつれて、各放電空間１１０に流れる電流が隣接する他の放電空間１１０に移動することができる経路が長くなって、偏流現象等の不良発生を効果的に防止することができる。
【００４７】
例えば、連結通路２４０は、各空間分割部２２０の長手方向の中央部に一つが形成される。連結通路２４０は、空間分割部２２０の幅Ｗ３より小さい空間幅Ｗ４を有し、放電空間部２１０が第１基板１００と最大に離隔する第１最大離隔距離ＭＤ１より小さい第２最大離隔距離ＭＤ２を有するように形成する。一例として、連結通路２４０は、約１ｍｍ〜約３ｍｍ程度の空間幅Ｗ４を有し、約１ｍｍ〜約２ｍｍ程度の第２最大離隔距離ＭＤ２に形成するのが好ましい。
【００４８】
従って、いずれか一つ以上の放電空間１１０に注入される放電ガスは、連結通路２４０を通じて他の放電空間１１０に移動し、時間が経過するにつれて、全ての放電空間１１０には放電ガスが均一なガス圧にて分布される。
【００４９】
図１１は、本発明の一実施例による液晶表示装置を示す分解斜視図である。本実施例において、面光源装置は図１乃至図１０を参照して説明したものと同じ構成を有し、その他重複する説明は省略する。
【００５０】
図１１を参照すると、本発明の一実施例による液晶表示装置３０００は、面光源装置１０００、ディスプレイユニット４００、及びインバータ５００を含む。
面光源装置１０００は、平板形状の第１基板１００、第１基板１００と離隔して多数の放電空間１１０を形成する多数の放電空間部２１０、及び隣接する放電空間部２１０間に形成され第１基板１００と接する多数の空間分割部２２０で構成される第２基板２００、及び第２基板２００の外面に形成される第１外部電極３００を含む（図１参照）。
【００５１】
この際、外郭と隣接した一つ以上の放電空間部２１０は、長手方向の両端部に形成される輝度補償部２３０を有する。輝度補償部２３０は、第１基板１００方向に陥没される陥没部、又は第１基板１００の反対方向に突出される突出部で構成される。又、輝度補償部２３０は、一側外郭と隣接した３個以下の放電空間部２１０、及び他側外郭と隣接した３個以下の放電空間部２１０に形成することが好ましく、それぞれの輝度補償部２３０は外郭に近い放電空間部２１０に形成するほど、面積を増加させることが好ましい。
【００５２】
ディスプレイユニット４００は、画像を表示する液晶表示パネル４１０、液晶表示パネル４１０を駆動するための駆動信号を提供するデータ及びゲート印刷回路基板４２０、４３０を含む。データ及びゲート印刷回路基板４２０、４３０から提供される駆動信号は、データフレキシブル回路フィルム４４０及びゲートフレキシブル回路フィルム４５０を通じて液晶表示パネル４１０に印加される。データ及びゲートフレキシブル回路フィルム４４０、４５０は、一例として、テープキャリアパッケージ（ＴＣＰ）又はチップオンフィルム（ＣＯＦ）で構成される。又、データ及びゲートフレキシブル回路フィルム４４０、４５０のそれぞれは、データ及びゲート印刷回路基板４２０、４３０から提供される駆動信号を適切なタイミングに液晶表示パネル４１０に印加するために、駆動信号を制御するデータ及びゲート駆動チップ４４２、４５２を更に含む。
【００５３】
液晶表示パネル４１０は、薄膜トランジスタ（以下、ＴＦＴという）基板４１２、ＴＦＴ基板４１２と対向して結合されるカラーフィルター基板４１４、及び前記二つの基板４１２、４１４間に介在された液晶４１６を含む。
ＴＦＴ基板４１２は、スイッチング素子であるＴＦＴ（図示せず）がマトリックス形態で形成された透明なガラス基板である。ＴＦＴのソース及びゲート端子にはそれぞれデータ及びゲートラインが連結され、ドレイン端子には透明な導電性材質で構成された画素電極（図示せず）が連結される。
【００５４】
カラーフィルター基板４１４は、色画素であるＲＧＢ画素（図示せず）が薄膜工程によって形成された基板である。カラーフィルター基板４１４には、透明な導電性材質で形成された共通電極（図示せず）が形成される。
【００５５】
このような構成を有する液晶表示パネル４１０は、ＴＦＴのゲート端子に電源が印加されＴＦＴがターンオンされると、画素電極と共通電極との間には電界が形成される。このような電界によってＴＦＴ基板４１２とカラーフィルター基板４１４との間に介在された液晶４１６の配列が変化し、液晶４１６の配列変化によって面光源装置１０００から供給される光の透過度が変更され、所望する諧調の画像が得られる。
【００５６】
インバータ５００は、面光源装置１０００を駆動するための放電電圧を発生させる。インバータ５００は、外部から印加される交流電圧を面光源装置１０００の駆動のための放電電圧に昇圧させ出力する。インバータ５００から発生した放電電圧は、第１及び第２電源線５１０、５２０を通じて面光源装置１０００の第１及び第２外部電極３００、３１０にそれぞれ印加される。本実施例において、第１及び第２外部電極３００、３１０は、第１及び第２基板１００、２００に別に形成するので、第１及び第２外部電極３００、３１０を電気的に連結しながら、第１及び第２電源線５１０、５２０とそれぞれ連結される第１及び第２導電クリップ５３０、５４０を更に含むことができる。
【００５７】
一方、液晶表示装置３０００は、面光源装置１０００を収納するための収納容器６００、面光源装置１０００から出射される光の特性を向上させるための光学部材７００、及び液晶表示パネル４１０を固定するための固定部材８００を更に含む。
【００５８】
収納容器６００は、面光源装置１０００を収納するために、底部６１０及び底部６１０のエッジから収納空間を形成するために、垂直に延長された複数の側壁６２０で構成される。収納容器６００は、面光源装置１０００の収納時、面光源装置１０００との絶縁のための絶縁部材（図示せず）を更に含むことができる。
【００５９】
光学部材７００は、面光源装置１０００と液晶表示パネル４１０との間に配置される。光学部材７００は、面光源装置１０００から出射される光の経路を変更させ、輝度均一度を向上させるか、正面輝度を向上させる役割を果たす。このために、光学部材７００は、面光源装置１０００から出射される光を拡散させるための拡散板７１０を含む。拡散板７１０は所定の厚さを有するプレート形状に形成され、面光源装置１０００と所定間隔に離隔して配置される。光学部材７００は、拡散板の上部に配置される一つ以上の集光シート７２０を更に含むことができる。集光シート７２０は、拡散板７１０から出射される光を液晶表示パネル４１０の方向に集光して、光の正面輝度を向上させる。一方、図示していないが、光学部材７００は集光シート７２０の下部又は上部に配置され、光を拡散させるための拡散シートを更に含むことができる。
【００６０】
固定部材８００は、液晶表示パネル４１０のエッジを囲みながら収納容器６００に結合され、液晶表示パネル４１０を光学部材７００の上部に固定する。このような固定部材８００は、外部衝撃による液晶表示パネル４１０の破損を防止し、液晶表示パネル４１０が収納容器６００から離脱することを防止する。
【００６１】
一方、図示していないが、液晶表示装置３０００は、面光源装置１０００及び光学部材７００を収納容器６００に固定し、液晶表示パネル４１０の収納位置をガイドするための別の固定手段を更に含むことができる。
【００６２】
尚、本発明は、上述の実施例に限られるものではない。本発明の技術的範囲から逸脱しない範囲内で多様に変更実施することが可能である。
【図面の簡単な説明】
【００６３】
【図１】本発明の第１の実施例による面光源装置を示す斜視図である。
【図２】図１のＡ−Ａ’線に沿って切断した断面図である。
【図３】図１に図示した面光源装置の背面を示す背面斜視図である。
【図４】図１に図示した面光源装置の平面図である。
【図５】図４に図示したＢ−Ｂ’線に沿って切断した断面図である。
【図６】図４に図示した陥没部を具体的に示す図である。
【図７】図６に図示したＣ−Ｃ’線に沿って切断した断面図である。
【図８】本発明の第２の実施例による面光源装置を示す断面図である。
【図９】図１に図示したＤ部分を拡大した部分拡大図である。
【図１０】図９のＥ−Ｅ’線に沿って切断した断面図である。
【図１１】本発明の一実施例による液晶表示装置を示す分解斜視図である。
【符号の説明】
【００６４】
１００        第１基板
１１０        放電空間
１２０        接着部材
１３０、１４０    蛍光層
１５０        反射層
２００        第２基板
２１０        放電空間部
２２０        空間分割部
２３０、２５０    輝度補償部（陥没部、突出部）
２３０ａ、２３０ｂ、２３０ｃ  陥没部
２４０        連結通路
２５０ａ、２５０ｂ、２５０ｃ  突出部
３００        第１外部電極
３１０        第２外部電極
４１０        液晶表示パネル
４１２      薄膜トランジスタ（ＴＦＴ）基板
４１４      カラーフィルター基板
４１６      液晶
４２０      データ印刷回路基板
４３０      ゲート印刷回路基板
４４０      データフレキシブル回路フィルム
４４２      データ駆動チップ
４５０      ゲートフレキシブル回路フィルム
４５２      ゲート駆動チップ
５００        インバータ
５１０        第１電源線
５２０        第２電源線
５３０        第１導電クリップ
５４０        第２導電クリップ
６００        収納容器
６１０        底部
６２０        側壁
７００        光学部材
８００        固定部材
１０００      面光源装置
３０００      液晶表示装置
【図１】
2006004924.tif 000003
【図２】
2006004924.tif 000004
【図３】
2006004924.tif 000005
【図４】
2006004924.tif 000006
【図５】
2006004924.tif 000007
【図６】
2006004924.tif 000008
【図７】
2006004924.tif 000009
【図８】
2006004924.tif 000010
【図９】
2006004924.tif 000011
【図１０】
2006004924.tif 000012
【図１１】
2006004924.tif 000013